(57)【要約】【課題】本発明は、挟着部に衣類を挟着すると共に、挟着部に挟着した衣類を包囲体で包囲して携行できる取り扱いに便利な衣類携行用のハンガーを提供する。また、通学者や通勤者等が利用して、実務に適した便利なハンガーを備えた鞄を提供する。【解決手段】ハンガーＨの本体２の挟着部２０に衣類を挟着すると共に、挟着された衣類を包囲部材で包囲して携行するようにした。また、ハンガーのＨを鞄Ｂに組込んで、このハンガーに衣類を着脱自在に装着して携行するようにした。【選択図】　　　　図１
2004130009.tif 000002
【特許請求の範囲】
【請求項１】
衣類を本体に設けた装着部に装着して携行する衣類携行用ハンガーであって、
前記本体の装着部に衣類を挟着して装着すると共に、前記本体の装着部に装着された衣類を包囲部材で包囲して携行することを特徴とする衣類携行用ハンガー。
【請求項２】
前記装着部を固定部材と可動部材で構成し、該可動部材の一端をヒンジで支持し他端をロック部材で開閉可能に連結して前記固定部材との間に衣類を挟着することを特徴とする請求項１に記載の衣類携行用ハンガー。
【請求項３】
前記本体に包囲部材を引き出し可能に収容する収容部を設けたことを特徴とする請求項１に記載の衣類携行用ハンガー。
【請求項４】
前記包囲部材を収容部にジグザグ状又は渦巻状に収容することを特徴とする請求項３に記載の衣類携行用ハンガー。
【請求項５】
装着部に設けられ衣類を着脱自在に装着する装着棒を備えたハンガーが組込まれ、前面部を開閉自在に構成したことを特徴とするハンガーを備えた鞄。
【請求項６】
前記装着棒の一端を門形のフレームの一方の折曲部の内側に支持部を介してほぼ水平方向に回転可能に取り付け、他端を他方の折曲部に設けたロック部にロックするように構成し、前記フレームを蓋体の内側に固定したことを特徴とする請求項５に記載のハンガーを備えた鞄。
【請求項７】
前記装着部を、板状の本体部、ほぼＬ字状の一対の側板及び装着棒で形成し、前記一方の側板の内壁に支持部を設け、一端が前記支持部に回動自在に支持された装着棒の他端を前記他方の側板に設けたロック部にロックするように構成し、前記本体部及び該本体部の両端部に当接した側板を蓋体の内側に一体に固定したことを特徴とする請求項５記載のハンガーを備えた鞄。
【請求項８】
前記装着部を、板状の本体部、ほぼＬ字で垂直片の長い一対の側板及び装着棒で構成し、前記一対の側板の上下方向にそれぞれ案内溝を設けて該案内溝の上端部にロック部を設け、前記装着棒の両端部を前記案内溝内に上下に摺動可能に配設し、前記本体部及び該本体部の両端部に当接した側板を蓋体の内側に一体に固定したことを特徴とする請求項５記載のハンガーを備えた鞄。
【請求項９】
前記装着部を、板状の一対の側板及び装着棒で形成し、前記一方の側板の内壁に支持部を設け、一端が前記支持部に回動自在に支持された装着棒の他端を前記他方の側板に設けたロック部にロックするように構成し、前記一対の側板を鞄の両側面部の内側に設けたポケット内にそれぞれ収容したことを特徴とする請求項５記載のハンガーを備えた鞄。
【請求項１０】
前記装着部を、板状の本体部、上端部が前記本体部に固定された一対の案内棒及び装着部で構成し、前記案内棒の上部をほぼ水平方向又は斜め上方に折曲げてロック部を形成したのち下方に延長し、前記装着部の両端部近傍に貫通穴を設けて前記案内棒に上下方向に摺動自在に挿入し、前記本体部を蓋体の内側に固定したことを特徴とする請求項５記載のハンガーを備えた鞄。
【請求項１１】
伸縮自在の一対の脚却と、該脚部の上端部を橋絡する衣類の装着棒とにより門型に形成されたハンガーが組込まれ、前面部を開閉自在に構成したことを特徴とするハンガーを備えた鞄。
【発明の詳細な説明】
【０００１】
【発明の属する技術分野】
本発明は、衣類携行用ハンガー及びハンガーを備えた鞄に係り、更に詳しくは、例えば夏季などにおいて、脱いだ上着等の衣類を本体に掛けて提げ手や肩掛けベルトで携行するための衣類携行用ハンガー及びハンガーを備えた鞄に関するものである。
【０００２】
【従来の技術】
この種の従来のハンガーとして、特開平１１−３４２０６２号公報や特開２０００−２３７０２８号公報に記載された発明が知られている。これらの発明のハンガーの構造を、図２１（ａ）、（ｂ）に示す。図２１（ａ）において、１３１はショルダーハンガー、１３２はベルト部、１３３はハンガー部、１３４は係止具部、１３５はリング部、１３６はケースである。これを使用する時は、上着などが係止具部１３４とハンガー部１３３との間に挟着されるので、上着の内ポケットや胸ポケットから物が落ちるようなことがなく、両手が自由に解放される。さらに、これを使用しない時は、コンパクトなケース１３６に収納して常時携帯することができる、ということが記載されている（従来技術１）。
【０００３】
また、図２１（ｂ）において、２０１，２０２は棒体、２０３は引っ掛け部、２０４は取付用フック、２０５は鎖、２０６，２０７，２０８はゴムキャップである。また、２２０は背広上着、２２１は襟吊りである。この携帯用ハンガーに背広上着２２０を掛けるときは、棒体２０１及び２０２よりなる挟持部で上下方向の下より１／３部分を挟持すると共に襟吊り２２１を引っ掛け部２０３に引っ掛ける。また、取付用フック２０４をビジネスバッグの把手（図示省略）に引っ掛けて持ち運ぶことができる。そして、背広上着を素早く脱着し皺にならずに持ち運ぶことができるようにすると共に、携帯にも便利なハンガーを提供できるという説明がなされている（従来技術２）。
【０００４】
【発明が解決しようとする課題】
上記従来技術１の発明は図示のように、上着を一端に設けた係止具部１３４と合成樹脂のハンガー部１３３との間に挟着して、ベルト部１３２を肩に掛けて歩行するようになっている。したがって、歩行の途中で一端を挟着した上着が緩んで、抜け落ちるような不都合が発生し易い。
また、従来技術２の発明ではステンレスのような平行で剛性の高い丸棒状の棒体２０１及び２０２の間に上着を挟持して持ち運ぶので、ハンガー自体が重くなるばかりか、挟持間隔が固定的で歩行中に滑り落ちる恐れがある。特に、上記２つの発明では何れも脱いだ上着がそのままハンガーに掛けられて露出しているので、歩行中に土埃等で汚れるばかりか、俄雨等に遭遇すると提げた上着がびしょ濡れになる等の問題もあった。
【０００５】
本発明は、上記のような従来の課題を解決するためになされたもので、装着部に衣類を挟着して装着すると共に、装着部に装着した衣類を包囲体で包囲して携行するようにした衣類携行用のハンガーを提供することを目的とするようにしたものである。
また、本発明は、内部に設けた装着部に衣類を装着して季節や場所に関わりなくスーツ或いはコート等の衣類を保護して収納できる取り扱いに便利なハンガーを備えた鞄を提供することを目的としたものである。
【０００６】
【課題を解決するための手段】
本発明に係る衣類携行用ハンガーは、本体の装着部に衣類を挟着して装着すると共に、本体の装着部に挟着された衣類を包囲部材で包囲して携行するようにしたものである。
【０００７】
また、本発明に係るハンガーを備えた鞄は、装着部に設けられ衣類を着脱自在に装着する装着棒を備えたハンガーが組込まれ、前面部を開閉自在に構成したものである。
【０００８】
【発明の実施の形態】
［実施の形態１］
図１は本発明の実施の形態１に係る衣料携行用ハンガーの構成を示す正面図、図２は図１の右側面図、図３は図１のＸ−Ｘ拡大断面図、図４はロック部材の構成を示す斜視図、図５は包囲布の構成を示す平面図及び作用説明図である。図１、図２において、Ｈは衣類携行用ハンガーである。２は横方向に長い長方形で下部が開口された箱状の本体、５は提げ手、６は左右のベルト掛けである。ここでは、本体２の主要部に金属より軽く円弧部等の加工が容易で、多量生産に適する樹脂の成型材が用いられている。本体２は図３に示すように、下部に衣類を挟着する挟着部２０が設けられており、上部には後述する包囲布を収容する収容部３０が形成されている。また、提げ手５は樹脂で成型され、本体１の上面で図１の前後方向に起伏自在に構成されている。
【０００９】
２１と２２は挟着用の隙間ｇを隔てて平行に設けられた固定板と可動板、２３は可動板２２の一端を支持してヒンジ機能を果たす蝶番、２４は着脱自在に可動板２２の他端を固定するロック部材で、例えば、図４に示すように雌雄２部分をそれぞれ可動板２２と固定板２１に固定したものである。２５は断面が撥形の雄部材、２６はバネ圧を受けて対向する一対の出没円柱を備えた雌部材である。そして、矢印に示すように可動板２２が蝶番２３を支点に回転して角θが狭められると、一対の出没円柱が押し広げられて雌部材２６が雄部材２５を挟圧する。こうして、可動板２２が固定板２１と平行状態になって、両板２１と２２が衣類を挟着して装着させるための所定の間隔ｇを隔てて連結される。このロック部材２４はその一例を示すもので、これに限定するものではなく、適宜の別の構造のものを使用することができる。
【００１０】
収容部３０において、３１は収容室、３２は後壁の上部隅に設けられた左右一対のフック、３３はフック３２の下方に設けられ背面に開口する係合溝、３４は前面扉、３５と３６は前面扉３４を開閉する蝶番と摘みである。また、４は収容室３１内にジグザグ状に収容された包囲布、４１と４２は包囲布４の両端部に取り付けられた長短１組の保持棒である。包囲布４には例えば撥水性を備えて軽量で嵩張らない細い編み目のメッシュ地が用いられ、その形状を図５（ａ）に示す。図５（ａ）、（ｂ）において、４３は包囲布４の四隅に形成されたカット部、４４と４５は上端と下端に設けられた袋縫い部、４６と４７はマジックテープ（登録商標）のような上下各一対の止め具である。なお、包囲布４にはメッシュ地に代えて通常の布材、ビニールシート等を用いてもよい。
【００１１】
上端の袋縫い部４４には長い保持棒４１が挿通されて一対のフック３２に懸架され、他方の袋縫い部４５側には短い保持棒４２が挿通される。袋縫い部４５に挿通された短い保持棒４２は図５（ｂ）の矢印に示すように、前面扉３４から下方に引き出され、ほぼ半周して背面側から係合溝３３内に着脱自在に嵌合して係止される。そして、後述する衣類の包囲状態において、下方を経てほぼ半周する包囲布４の途中が、挟着部２０の可動板２２に掛けられた衣類の外側を包囲する。このとき、包囲布４の上下の止め具４６と４７が同一位置に対向し、対同士を結合すると衣類を包囲した包囲布４が袋状に形成される。
【００１２】
次に、上述のように構成した本実施の形態の作用を説明する。
一般に、シャツ姿で過ごす真夏よりも、寧ろ初夏や初秋の予期しない厳しい暑さのときに、脱いだ上着の始末に悩まされることが多い。本実施の形態に係る衣類携行用ハンガーＨは、このようなときに特有の機能が発揮される。軽量で小形且つコンパクトな本体２が、例えば通勤鞄の中から取り出される。そして、取り出した本体２の下部の可動板２２の可動端を下方に引っ張り、雌部材２６を雄部材２５から引き離してロック部材２４の連結を解除する。
【００１３】
ロックを解除した可動板２２に脱いだ上着を掛けてから、可動端を逆方向に回転して再びロック部材２４をロックする。可動板２２に掛けた上着は間隔ｇ内に収納され、固定板２１と可動板２２によって確実に挟着される。この場合、固定板２１と可動板２２の挟着面に柔軟性の繊維やラバー等を添着しておけば、衣類Ｓの挟着も一層確実になって滑り落ちを防止できる。そして、このままベルト掛け６に付けた肩掛けベルトや提げ手５により、衣類携行用ハンガーＨを利用して脱いだ上着を携行する。肩掛けベルトを利用すれば、両手が空いて歩行中の躓きなどによる怪我の発生を防止できる利点もある。
【００１４】
一方、埃っぽい歩道の歩行や雨降りが予想されるようなときには本体２の摘み３６で前面扉３４を開けて、袋縫い部４５に挿通された短い保持棒４２を持って包囲布４を前面から下方に引き出す。そして、前述のように下方からほぼ半周して背面側に回された短い保持棒４２を、係合溝３３内に係止して表裏を止め具４６，４７で左右の布端を貼り合わせる。この結果、袋状になった包囲布４により、挟着部２０に挟着された上着がほぼ完全に包囲される。このようにして、可動板２２に掛けられた上着に土埃などの付着をなくすことができ、多少激しい雨に降られても上着の濡れるのを防ぐことも可能ができる。
【００１５】
因みに、本実施の形態における本体等の構成部材の仕様の一例を挙げれば、次の通りである。
2004130009.tif 000003
上記の寸法仕様で本体の主要な構成部材に成型樹脂を用いたときの発明者の試作結果によれば、製作が容易且つ低コストで、しかも軽量な衣類携行用ハンガーを実現することができた。
【００１６】
なお、上記の説明では包囲布（包囲部材）を収容室にジグザグ状に収容した場合を示したが、渦巻バネの力に逆らって引き出すと共に、その復元力を利用して自動的に引き込むように構成してもよい。また、挟持部を固定板とヒンジで支持された可動板で挟持した場合を例示して説明したが、可動板（可動体）を挟着用の隙間ｇを可調整にスライド式に出し入れしてバネを利用して衣類を挟着するように構成することもできる。また、上面のベルト掛けを側面に設けてもよく、肩掛けベルトについても引き出しと収納を自動化させるように構成してもよい。
【００１７】
上記のように構成した本実施の形態に係る衣類携行用ハンガーによれば、従来のように歩行の途中で挟着した上着が緩んで、抜け落ちるような不都合が発生しない。また、ステンレスのような金属の棒体を利用せずに主要部に樹脂材を利用するので、軽く携帯に便利で上着が滑り落ちる心配もない。特に、脱いだ上着がそのままハンガーに掛けられて包囲部材で包囲されるので、本体に挟着された衣類が土埃で汚れたり、俄雨等に遭遇してびしょ濡れになるような問題は発生しない。
【００１８】
［実施の形態２］
図６は本発明の実施の形態２に係るハンガーを備えた鞄の構成を示す説明図で、（ａ）は鞄に組み込まれるハンガーの主要部の分解斜視図で、（ｂ）は鞄の外観斜視図である。図６において、Ｈは実施の形態１の場合とほぼ同じ機能であるが異なる構造のハンガー、６はその本体、Ｂはこれを内蔵した鞄である。６０は本体６における横方向に長い門形のフレーム、６１はストッパー、６２は後述の装着棒の支持部である蝶番（又は蝶番６２以外のヒンジ部材）、６３は装着棒、６４は複数個のネジ（ナット）である。本実施の形態では、本体６の構成部材にアルミニウムの如き軽量の金属板や剛性を有する合成樹脂材が用いられている。特に、ここでは収容される衣類が、次に述べるような丈夫な布材等で形成された鞄Ｂ内に収容されるので、ずり落ちることがない。したがって、挟持機能よりも寧ろ取り扱い易さを向上させることに配慮がなされている。
【００１９】
上記の配慮から、本実施の形態においては、実施の形態１に設けた固定板２１が省略され、衣類の引っ掛け機能を持つ装着棒６３のみが設けられている。したがって、その分だけ構造が簡素化されている。また、装着棒６３からフレーム６０までの装着隙間Ｇが、実施の形態１の挟着間隔ｇより広くなっている。そして、図示のように可動側に装着棒６３を固定した蝶番６２の固定側が、ストッパー６１を介してフレーム６０の折曲部６０ａに３本のネジ６４で取り付けられる。こうして、装着棒６３がヒンジ軸０ー０を支点にほぼ水平方向に回転し、先端が折曲部６０ｂに形成されたロック部であるほぼＬ字状のロック溝６５内の深部に落ち込んでロックされるようになっている。なお、ロック溝６５に代えて他のロック手段を用いてもよい。
【００２０】
７０は鞄を形成する布材である。本実施の形態の布材７０には、例えば、表地と裏地の間にウレタンやゴムシートを介在させた、比較的軽くて薄く水等が浸透しない丈夫な３枚構造の化学繊維地が用いられている。７１は布材７０において一定幅で鞄Ｂの前面部から底面部と背面部とを経て蓋部７１ａに達する環状布、７２はやや細長い台形状の左右の側面部である。右側は隠れて図示されていないが、左右の側面部７２には上から途中までを開放させる為のファスナー７３（開閉部材）が設けられている。
【００２１】
７４ａ，７４ｂは前面部と背面部に設けられたポケットで、前面部の小型のポケット７４ａには例えばペンや携帯電話等の小物が差し込まれ、背面部の大型のポケット７４ｂには例えばノートやメモ用紙などの大物類が収容される。場合によっては、大型のポケット７４ｂの中に設計図や取説等を挿入して、鞄Ｂの型くずれ防止に寄与させることもできる。これらのポケット７４ａ，７４ｂは鞄Ｂの外側に限るものでなく、必要により内部側に設けてもよい。７５は当て布を介して環状布７１の蓋部７１ａ上に取り付けられた提げ手ベルトで、布材７０の蓋部７１ａの内側に配設したハンガーＨのフレーム６０にリベット等で一体に固定されている。７６は蓋部７１ａをロックするための口金、７７は肩掛けベルトである。口金７６に替えて、マジックテープ（登録商標）等を利用するようにしてもよい。
【００２２】
次に、上述のように構成した本の実施の形態の作用を説明する。
前記したように、例えば脱いだ上着を鞄Ｂの中に収容する場合は、先ず初めに口金７６を外して鞄Ｂの蓋部７１ａを開けると上面が開口される。次に、開口端まで押し上げられている左右のファスナー７３の摺動子を下まで一杯に降ろすと、鞄Ｂの前面部がファスナー７３の降下点付近を支点にほぼ１１０度程度に前倒しになって前面が開口される。ここで、装着棒６３の先端付近を掴んで僅かに持ち上げながらロック溝６５から抜き出すと、前述したように装着棒６３がヒンジ軸０ー０を支点に水平方向に回転して引き出される。このとき、装着棒６３の基部がストッパー６１の突出端に当たって、装着棒６３の回転角がほぼ９０度以内になるように規制される。
【００２３】
一方、脱いだ上着の後身頃の左右を向かい合わせて、背筋の位置で縦方向に二つ折りに折り重ねる。この場合、ポケットの中を空にすれば、畳んだ上着の厚さが均一化すると共に皺の発生が防止される。そして、畳んだ上着の着丈のほぼ半分のところを目安にして、既に引き出された装着棒６３に懸架する。こうして上着を装着して重くなった装着棒６３を支えながら逆方向に回転して、垂れた上着の下部を鞄Ｂの内部に押し込み、先端部をロック溝６５に挿入する。その後、鞄Ｂの前面部を立ち上げながら両側のファスナー７３の摺動子を押し上げてから、口金７６で蓋部７１ａを閉める。このような操作を経て、上着が鞄Ｂの内部に収納されることになる。
【００２４】
図７は実施の形態２の他の例の構成を示す斜視図である。図７の例で図６との主な相違点は左右のファスナー７３の取付位置にある。図示されているように、２筋のファスナー７３が鞄Ｂの前面部の左右の側縁の付近で上下方向に設けられている。このような構成を採用した結果、図７の例では蓋部７１ａを開いて２筋のファスナー７３の摺動子を引き下げれば、奧行きの深い鞄Ｂの前面部が全面的に開放されることになる。よって、衣類の底面部と両側面部からのはみ出しが少なくなり、鞄Ｂの内部に収まり易くなって出し入れ時に極めて都合がよい。この外、図７の例では、図６の提げ手ベルト７５と口金７６がそれぞれ逆Ｕ字状の取っ手７８と角形金具７９に取り替えられて用いられている。
【００２５】
上記の説明では鞄Ｂを布材で形成した場合を示したが、合成樹脂材や皮革で形成してもよい。また、上着を鞄Ｂ内に収納した場合を例示して説明したが、コート等の他の衣類にも本実施の形態を適用できることは勿論である。さらに、上着を装着棒６３に掛けて収納した場合を示したが、実施の形態１の場合と同様にバネ材や押圧部材を利用して狭着するようにしてもよい。このように構成すれば、装着棒６３に摩擦材などを用いたときと同様なずり落ち防止の効果が得られる。このほか、ヒンジ機構や狭持部或いは鞄の形状や構造等についても実施の形態に示したものに限定するものではなく、その要旨を逸脱しない範囲内で適宜変更することができる。
【００２６】
上記のように構成した本実施の形態に係る鞄によれば、鞄から水平に引き出された装着棒に上着等の衣類を掛けるように構成したので、装着時と取り出し時に上着がずり落ちるおそれがない。また、装着隙間が広く設けられているので、衣類を掛けた装着棒の出し入れが容易で収納と取り出し動作が円滑になる。しかも、上着などの衣類は鞄の内部で化学繊維等の水や液体の浸透し難い鞄用の包囲部材で包囲されているので、雨や埃がシャットアウトされて衣類の長持ちに一層寄与することができる。特に、文具等を入れて持ち運ぶ鞄と、上着を正しく収納し保管するハンガーとの多機能的な特徴を備えているので、季節や環境に無関係に利用できて通学者や通勤者などが用いて実用に適した用具を実現することができる。
【００２７】
［実施の形態３］
図８は本発明の実施の形態３に係るハンガーを備えた鞄のハンガー部分の分解斜視図である。
図において、Ｈはハンガーで、６６は例えばアルミニウムの如き軽量の金属材料や剛性を有する合成樹脂材からなる板状の本体部、６７ａ，６７ｂは本体部６６と同じ材料からなるＬ字状の一対の側板で、一方の側板（例えば、６７ａ）の垂直片の内壁には支持部である円筒状の嵌合部６８が設けられており、他方の側板６７ｂにはロック部であるほぼＬ字状のロック溝６５が設けられて本体６を構成する。なお、ロック溝６５に代えて他のロック手段を設けてもよい。
６９は一端がほぼ直角に折曲げられて側板６７ａの嵌合部６８に回動自在に嵌入される折曲部６９ａが設けられた装着棒である。
【００２８】
図９は本実施の形態の装着棒６９の他の支持部の例を示すもので、図９（ａ）は円筒状の嵌合部６８に代えて、一方の側板６７ａ（又は６７ｂ）の垂直片に、切起しにより内側にほぼ水平に突出する支持片１１０を設け、この支持片１１０に設けた穴１１１に装着棒６９の折曲げ部６９ａを挿入し、装着棒６９を水平方向に回動自在に支持したものである。
【００２９】
また、図９（ｂ）は、一方の側板６７ａ（又は６７ｂ）の垂直片に、切起しにより内側に突出する上下２段の支持片１１２を設け、棒状の装着棒６９ｂの一端をピン１１３により水平方向に回動自在に支持したものである。なお、切起しによる１個又は２段の支持片１１０，１２２に代えて、１個若しくは２段の支持片又はその他の形状の支持部材を側板６７ａ（又は６７ｂ）の垂直片の内壁に、接着剤等により取付けてもよい。なお、これらの支持部は、他の実施の形態にも用いることができる。
【００３０】
上記のような本体部６６は、鞄Ｂ（以下、図６（ｂ）の鞄Ｂを例に説明する）の蓋部７１ａの裏面に当接され、その下面の両側に側板６７ａ，６７ｂの水平片を当接し、蓋部７１ａ、本体部６６及び側板６７ａ，６７ｂをネジとナット、リベット等により一体に固定し、鞄Ｂに取付ける。なお、本体部６６と側板６７ａ，６７ｂは１枚の材料を折曲げて一体に形成してもよく、また、本体部６６に代えて、鞄Ｈの蓋部７１ａの裏面に設けた芯材に側板６７ａ，６７ｂを取付けてもよい。
本実施の形態の作用、効果は実施の形態２の場合とほぼ同様であるが、ハンガーＨの構造をより簡単にしたものである。
【００３１】
［実施の形態４］
図１０は本発明の実施の形態４に係る鞄のハンガー部の斜視図、図１１はその側面図、図１２は正面図である。
本実施の形態は、実施の形態３のＬ字状の一対の側板６７ａ，６７ｂの垂直片を長く延設して側板６７ｃ，６７ｄを形成し、その垂直片の上下方向に、装着棒６３が上下方向に移動自在のスリット状の案内溝６８ａ，６８ｂを設け、この案内溝６８ａ，６８ｂの上端部にロック部であるロック溝６５ａ，６５ｂを設けて門型の本体６を構成したものである。
【００３２】
装着棒６３はアルミニウム、ＳＵＳ等の金属材料や合成樹脂材料、木材等により棒状又はパイプ状に形成されており、両端部にはおねじ又はめねじが設けられている。そして、両端部を本体６の側板６７ｃ，６７ｄの垂直片に設けた案内溝６８ａ，６８ｂに挿入し、側板６７ｃ，６７ｄの外側から両端部に抜け止め部材６３ａを螺入して取付ける。
【００３３】
上記のようなハンガー部Ｈの本体部６６は、鞄Ｂ（以下、図６（ｂ）の鞄Ｂを例に説明する）の蓋部７１ａの裏面に当接され、その下面の両側に側板６７ｃ，６７ｄの水平片を当接し、蓋部７１ａ、本体部６６、側板６７ｃ，６７ｄをネジとナットやリベット等により一体に固定し、鞄Ｂに取付ける。この場合、本体部６６と側板６７ｃ，６７ｄを１枚の材料を折曲げて一体に形成してもよく、また、本体部６６を省略し、鞄Ｂの蓋部７１ａの裏面に設けた芯材に側板６７ｃ，６７ｄを取付けてもよい。
【００３４】
上記のように構成した本実施の形態においては、鞄Ｂの蓋部７１ａを明けてファスナー７３の摺動子を下げ、前面部を開放する。そして、案内溝６８ａ，６８ｂの下部に位置する装着棒６３（破線で示す）に上着等を掛け、装着棒６３を引き上げて両端部をロック溝６５ａ，６５ｂに係止させ、ファスナー７３を閉じて蓋部７１ａを閉じれば、上着等は鞄Ｂ内に収納される。
【００３５】
［実施の形態５］
図１３は本発明の実施の形態４に係る鞄のハンガー部の分解斜視図である。本実施の形態は、実施の形態３のハンガー部Ｈの本体部６６を省略すると共に、側板６７ａ，６７ｂを垂直片のみで形成したものである。
すなわち、垂直片のみからなる板状の側板１１４ａ，１１４ｂの一方の側板１１４ａ（又は１１４ｂ）に、図８で説明した円筒状の嵌合部６８又は図９で説明した切起しによる支持片１１０（又は１１２）を設けて支持部を形成すると共に、他方の側板１１４ｂにロック部であるロック溝６５等を設けたものである。
【００３６】
本実施の形態においては、鞄Ｂ（以下、図７の鞄Ｂを例に説明する）の両側面部７２の内側の上部に、図１４に示すように、布材、合成樹脂材等からなるポケット１１５ａ，１１５ｂを接着、縫付け、リベット等により取付けたもので、一方のポケット１１５ａ（又は１１５ｂ）には正面の上端部からほぼ３分の２程度の範囲に開口部１１６を設けると共に、他方のポケット１１５ｂには、側方に開口する開口部１１７を設ける。
そして、ポケット１１５ａに側板１１４ａを挿入して支持片１１２を開口部１１６から内側に突出させると共に、他方のポケット１１５ｂに側板１１４ｂを挿入して開口部１１７にロック溝６５を位置させ、側板１１４ａの支持片１１２（支持部）に装着棒６９（又は６９ａ）を水平方向に回動可能に取付けたものである。
【００３７】
上記のように構成した本実施の形態においては、鞄Ｂの蓋部７１ａをあけ、ファスナー７３の摺動子を引き下げて前面部を開放し、装着棒６９（６９ａ）を支持部を軸に水平方向に回動させて上着等を掛け、元の位置に戻して装着棒６９（６９ａ）の他端をロック溝６５に係止させ、ファスナー７３の摺動子を引き上げて蓋部７１ａを閉じれば、上着等は鞄Ｂ内に収容される。
【００３８】
本実施の形態においては、鞄Ｂの側面部７２にポケット１１５ａ，１１５ｂを取付けるようにしたので、少なくとも鞄Ｂの両側面は硬い布や皮革あるいは合成樹脂で形成することが望ましい。また、ポケット１１５ａ，１１５ｂ内に収容した側板１１４ａ，１１４ｂが不安定の場合は、側板１１４ａ，１１４ｂと鞄Ｂの側面部との間に側板１１４ａ，１１４ｂと同じ大きさの金属板、合成樹脂板等を挿入してもよい。
【００３９】
［実施の形態６］
図１５は本発明の実施の形態６に係る鞄のハンガー部の斜視図、図１６はその側面図である。
両図において、１２０ａ，１２０ｂは一対の案内棒で、例えばアルミニウムやＳＵＳの如き棒状又はパイプ状の金属材料からなり、上端部は本体部６６にネジ止め、溶接等により固定されており、その下方の装着すき間Ｇを隔てた位置から前方に、ほぼ水平又は斜め上方に折曲げてロック部１２１ａ，１２１ｂを設け、再び下方に延長したもので、下端部にはおねじ又はめねじが設けられいる。そして、下端部に抜け止め部材１２２（図には座金とナットが示してあるが、他の手段を設けてもよい）を取付けて、本体６を構成したものである。
【００４０】
６３ｂはアルミニウム、ＳＵＳ等の金属材料、合成樹脂材料、木材等からなる棒状又はパイプ状の装着棒で、両端部側には案内棒１２０ａ，１２０ｂに摺動自在に嵌合される貫通穴６３ｃが設けられている。この装着棒６３ｂは、貫通穴６３ｃを案内棒１２０ａ，１２０ｂの下方から挿入し、案内棒１２０ａ，１２０ｂの下端部に抜け止め部材１２２を取付けてハンガー部Ｈが構成される。
【００４１】
上記のようなハンガー部Ｈの本体部６６は、鞄Ｂ（以下、図６（ｂ）の鞄Ｂを例に説明する）の蓋部７１ａの裏面に当接され、蓋部７１ａと本体部６６をネジとナットやリベット等により一体に固定し、鞄Ｂに取付ける。この場合、本体部６６を省略し、鞄Ｂの蓋部７１ａの裏面に設けた芯材に案内棒１２０ａ，１２０ｂを取付けてもよい。
【００４２】
上記のように構成した本実施の形態においては、鞄Ｂの蓋部７１ａを明けてファスナー７３の摺動子を下げ、前面部を開放する。そして、案内溝１２０ａ，１２０ｂの下部に位置する装着棒６３ｂ（破線で示す）に上着等を掛け、装着棒６３ｂを案内棒１２０ａ，１２０ｂに沿って引き上げて両端部をロック部１２１ａ，１２１ｂ上に位置させて保持し、ファスナー７３を閉じて蓋部７１ａを閉じれば、上着等は鞄Ｂ内に収納される。
本実施の形態によれば、きわめて簡単な構造で上着等を鞄Ｂ内に収納することができる。
【００４３】
［実施の形態７］
図１７は本発明の実施の形態７に係るハンガーを備えた鞄の構成を示す説明図である。ＢはハンガーＨを収容する鞄で、例えば、実施の形態２の場合とほぼ同様に、一定幅で前面部から底面部と背面部を経て上面部に達する環状の布材８０と、やや細長い布材からなる台形状の左右の側面部とによって形成されている。そして、上面部から左右の側面部の下端部にかけて、厚み方向（前後方向）の中央部又は前面部側に片寄った位置には、上面部及び前面部の全部又は一部を開放するためのファスナー８２が設けられている。
【００４４】
８３は背面部に設けたポケットであり、このポケット８３は前面部又は後面部と前面部の両方に設け、あるいは内部に設けてもよく、省略してもよい。８４は上面部に前後に起状自在に設けた提げ手であるが、肩掛けベルトを取付けるようにしてもよい。なお、鞄Ｂの底部８１は、ハンガーＨを構成する脚部の下端部を固定するため、少なくとも一部に例えば金属板、合成樹脂板等を設けることが望ましい。
【００４５】
ハンガーＨの一例を図１８、図１９に示す。本実施の形態に係るハンガーＨは、アルミニウムの如き軽量な金属材料あるいは合成樹脂材からなり、断面四角形又は円形（以下同じ）の一対の第１の鞘管９１、この第１の鞘管９１内に出し入れ自在に形成された第２の鞘管９４、及び第２の鞘管９４内に出し入れ自在に形成されたロッド９６からなる脚部と、両ロッド９６の両上端部に橋絡して取付けられた衣類の装着部である装着棒９７とにより、伸縮可能な門型に形成されている。
【００４６】
脚部を構成する第１の鞘管９１の下端部には、四方（又は２方）に折曲げられて鞄Ｂの底面部８１に固定するための取付片９２が設けられており、また、内側の側壁（対向する面）の下部及び上部には、後述のラッチ部材の球体より小径の係止穴９３が設けられている。
【００４７】
第２の鞘管９４は第１の鞘管９１の内形より僅かに小さい外形に形成されて、上部には後述のラッチ部材の球体より小径の係止穴９５が設けられており、下端部にはラッチ部材１００が挿入され、固定されている。
このラッチ部材１００は、上下に第２の鞘管９４の外形とほぼ等しい外形のフランジ１０２を有する下部嵌入部１０１と、第２の鞘管９４の内形とほぼ等しい外形の上部嵌入部１０３とからなり、下部嵌入部１０１には一方の側に開口する有底穴１０４が設けられ、この有底穴１０４には球体１０５及びこの球体１０５を外方に付勢するばね１０６が収容されている。そして、ラッチ部材１００の上部嵌入部１０３が第２の鞘管９４の下端部に挿入され、固定される。
【００４８】
ロッド９６は第２の鞘管９４の内形より僅かに小さい外形に形成されており、下端部には前記ラッチ部材１００と同じ構造のラッチ部材１００（但し、外形は第２の鞘管９４とロッド９６の内形に整合されている）の上部嵌入部１０３が挿入され、固定されている。
また、一対のロッド９６の上端部には、例えば合成樹脂からなる装着棒９７の両端部に設けた嵌合部９８が装着され、固定されている。
【００４９】
次に、上記のような各部からなるハンガーＨの組立手順の一例について説明する。先ず、第１の鞘管９１内に、ラッチ部材１００を下にして第２の鞘管９４を挿入し、圧下する。このとき、ラッチ部材１００の球体１０５は第１の鞘管９１の内壁に押されて有底穴１０４内に後退し、内壁に沿って下降する。そして、球体１０５が第１の鞘管９１の下部に設けた係止穴９３の位置に達すると、ばね１０６に付勢されて前進し、その一部が係止穴９３に係止して第２の鞘管９４はその位置に保持される。このとき、第２の鞘管９４の上端部は、第１の鞘管９１の上端部より若干上方に位置する。
【００５０】
同様にして、第２の鞘管９４内に、ラッチ部材１００を下にしてロッド９６を挿入しし、下降させると、装着棒９７の嵌合部９８が第２の鞘管９４に当って停止し、その位置に保持される。このときの状態を図１８に示す。これにより、ハンガーＨは最も低い状態に保持され、装着棒９７と第１の鞘管９１との間には、衣類等が収納される空間部Ｇが形成される。
【００５１】
上記のように構成したハンガーＨは、鞄Ｂのファスナー８２の摺動子を両側面部の下端部まで降して前面部を下方に垂下させ（図２０参照）、図１８の縮小した状態で鞄Ｂ内に挿入される。そして、第１の鞘管９１を両側面部の内側に沿って、かつファスナー８２の後面側に位置させ、下端部に設けた取付片９２により鞄Ｂの底面部８１にねじ等により固定する。この状態でファスナー８２を閉じれば、ハンガーＨは鞄Ｂ内に組込まれ、収容される。この場合、第１の鞘管９１の下端部に設けた取付片９２を省略し、第１の鞘管９１の下端部が嵌合される嵌合部と、その下端部に設けた取付片とからなる取付部材を鞄Ｂの底面部８１に固定し、その嵌合部に第１の鞘管９１の下端部を嵌合し、固定するようにしてもよい。
【００５２】
上記のように構成したハンガーＨに上着等の衣類を掛けて鞄Ｂ内に収納する場合は、先ず、鞄Ｂのファスナ８２を開いて図２０に示すようにその下端部を支点にして前面部を垂下させる。そして、装着棒９７を上方に引き上げる。これにより、図１９に示すように、ロッド９６、第２の鞘管９４が上昇し、ラッチ部材１００の球体１０５が第２の鞘管９４の係合穴９５、第１の鞘管９１の係合穴９３にそれぞれ係止し、保持される。
【００５３】
この状態で、図２０に示すように、装着棒９７に上着等の衣類Ｓを掛けて装着棒９７を圧下すれば、ハンガーＨは図１８の状態に縮小され、衣類Ｓは空間部Ｇ内に保持される。ついで、鞄Ｂの前面部を持ち上げてファスナー８２を閉じれば、衣類Ｓは鞄Ｂ内に収納される。なお、装着棒９７の上面に柔軟性の繊維やラバーを添着し、あるいは長手方向に複数の三角溝等の凹凸を設ければ、衣類Ｓのすべりを防止することができる。また、装着棒９７に衣類Ｓの止め具を設けてもよい。
【００５４】
上記の説明では、鞄Ｂの前面部、底面部、背面部及び上面部を環状の布材８２で形成した場合を示したが、上面部を省略して実施の形態２の場合と同様に蓋部を設け、両側面部をファスナーにより開閉するようにしてもよい。また、鞄Ｂを布材８０で構成した場合を示したがこれに限定するものではなく、軟質又は硬質の合成樹脂や皮革等で構成してもよい。
【００５５】
また、ハンガーＨは、第１、第２の鞘管９１，９４、ロッド９６及びハンガー棒９７で構成した場合を示したが、第２の鞘管９４を省略してロッド９６を第１の鞘管９１に連結するようにしてもよく、あるいは２以上の第２の鞘管９４を使用してもよい。
さらに、第２の鞘管９４及びロッド９６の下端部に、球体１０５を有するラッチ部材１００を装着した場合を示したが、ラッチ部材１００を省略し、第２の鞘管９４及びロット９６に、第１、第２の鞘管９１，９４の係止穴９３，９５に係止する半球状あるいは三角形状の突出部を設けてもよい。
【００５６】
【発明の効果】
本発明に係る衣類携行用ハンガーは、本体の狭着部に衣類を狭着すると共に、狭着された衣類を包囲部材で包囲して携行するようにしたので、きわめて便利であり、また、本体に狭着した衣類が土埃で汚れたり、俄雨等に遭遇しても濡れることがない。
【００５７】
また、本発明に係るハンガーを備えた鞄は、鞄内にハンガーを組込んだので、通常の鞄として使用できると共に、ハンガーに衣類を掛けて収納することができるので、きわめて便利である。
【図面の簡単な説明】
【図１】本発明の実施の形態１に係る衣類携行用ハンガーの構成を示す正面図である。
【図２】図１の右側面図である。
【図３】図１のＸ−Ｘ拡大断面図である。
【図４】ロック部材の構成を示す斜視図である。
【図５】包囲布の構成を示す平面図及び作用説明図である。
【図６】本発明の実施の形態２に係るハンガーを備えた鞄の構成を示す説明図である。
【図７】実施の形態２の他の例の構成を示す説明図である。
【図８】本発明の実施の形態３に係るハンガーを備えた鞄のハンガー部分の分解斜視図である。
【図９】実施の形態３の支持部の他の例を示す説明図である。
【図１０】本発明の実施の形態４に係るハンガーを備えた鞄のハンガー部の斜視図である。
【図１１】図１０の側面図である
【図１２】図１０の正面図である。
【図１３】本発明の実施の形態５に係るハンガーを備えた鞄のハンガー部の分解斜視図である。
【図１４】図１３の側板の鞄への装着状態を示す斜視図である。
【図１５】本発明の実施の形態６に係るハンガーを備えた鞄のハンガー部の斜視図である。
【図１６】図１５の側面図である。
【図１７】本発明の実施の形態７に係るハンガーを備えた鞄の構成を示す斜視図である。
【図１８】図１７のハンガーの縮小した状態を示す説明図である。
【図１９】図１７のハンガーの伸張した状態を示す断面図である。
【図２０】実施の形態７の作用説明図である。
【図２１】従来装置の構成を示す説明図である。
【符号の説明】
２，６　本体
４　包囲布（包囲部材）
２０　挟着部
２１　固定板（固定体）
２２　可動板（可動体）
２４　ロック部材
３０　収容部
３４　前面扉
４１，４２　保持棒
６０　フレーム
６３，６３ａ，６３ｂ，６９　装着棒
６３ｃ　貫通穴
６５，６５ａ，６５ｂ　ロック溝（ロック部）
６６　本体部
６７ａ，６７ｂ，６７ｃ，６７ｄ　側板
６８　嵌合部（支持部）
６８ａ，６８ｂ　案内溝
７１ａ　蓋部
７３，８２　ファスナー（開閉部材）
９１　第１の鞘管
９４　第２の鞘管
９３，９５　係止穴
９６　ロッド
９７　装着棒
１００　ラッチ部材
１０５　球体
１１０，１１２　支持片（支持部）
１１４ａ，１１４ｂ　側板
１１５ａ，１１５ｂ　ポケット
１２０ａ，１２０ｂ　案内棒
１２１ａ，１２１ｂ　ロック部
Ｂ　鞄
ｇ　挟着間隔
Ｇ　装着隙間
Ｈ　衣類携行用ハンガー
【図１】
2004130009.tif 000004
【図２】
2004130009.tif 000005
【図３】
2004130009.tif 000006
【図４】
2004130009.tif 000007
【図５】
2004130009.tif 000008
【図６】
2004130009.tif 000009
【図７】
2004130009.tif 000010
【図８】
2004130009.tif 000011
【図９】
2004130009.tif 000012
【図１０】
2004130009.tif 000013
【図１１】
2004130009.tif 000014
【図１２】
2004130009.tif 000015
【図１３】
2004130009.tif 000016
【図１４】
2004130009.tif 000017
【図１５】
2004130009.tif 000018
【図１６】
2004130009.tif 000019
【図１７】
2004130009.tif 000020
【図１８】
2004130009.tif 000021
【図１９】
2004130009.tif 000022
【図２０】
2004130009.tif 000023
【図２１】
2004130009.tif 000024